【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
GPS受信機と、前記GPS受信機に結合された中央処理ユニット(CPU)と、サーバーコンピュータと通信するように動作可能な無線通信インターフェイスと、前記GPS受信機、前記CPU、および前記無線通信インターフェイスに電力を供給するように動作可能な電源とを備える位置決定装置であって、前記位置決定装置は、
複数のGPS衛星から信号を受信するために前記GPS受信機を使用し、
前記受信した信号に基づいて前記位置決定装置の場所データを決定し、
定期的な送信の速度で前記サーバーに前記場所データを送信するために前記無線通信インターフェイスを使用するように構成される、位置決定装置と、
コンピュータソフトウェアプログラムであって、
前記サーバーコンピュータ上で実行され、
前記場所データを受信し、
前記位置決定装置の前記場所データに関するクライアントからの要求を受信し、
前記クライアントからの前記要求に応答して、前記クライアントに前記場所データを提供するように構成される、コンピュータソフトウェアプログラムと
を具備し、
前記サーバーは、前記クライアントからの前記要求に応答して、前記位置決定装置の場所データに関して前記位置決定装置に問い合わせない
ことを特徴とする位置決定システム。
【請求項２】
前記定期的な送信の速度は、経時的に変化することを特徴とする請求項１に記載の位置決定システム。
【請求項３】
前記定期的な送信の速度は、一定であることを特徴とする請求項１に記載の位置決定システム。
【請求項４】
前記場所データは、前記位置決定装置の高度を含むことを特徴とする請求項１に記載の位置決定システム。
【請求項５】
前記位置決定装置は、前記無線通信インターフェイスを介して受信された少なくともいくつかの情報データに基づいて、前記場所データを決定するように構成されることを特徴とする請求項１に記載の位置決定システム。
【請求項６】
前記位置決定装置は、前記サーバーに前記場所データの送信を指示することを特徴とする請求項１に記載の位置決定システム。
【請求項７】
前記クライアントは、画像形式で前記場所データを受信することを特徴とする請求項１に記載の位置決定システム。
【請求項８】
前記画像形式は、地図画像であることを特徴とする請求項７に記載の位置決定システム。
【請求項９】
携帯可能な位置決定装置の位置を提供するための方法であって、
前記携帯可能な位置決定装置において、
前記位置決定装置の構成部品に電源からの電力を提供するステップと、
複数のGPS衛星から信号を受信するステップと、
前記受信した信号に基づいて、前記位置決定装置の場所データを決定するステップと、
定期的な送信の速度で、サーバーに無線通信ネットワークを介して前記場所データを送信するステップと、
前記サーバーにおいて、
前記位置決定装置の前記場所データに関するクライアントからの要求を受信するステップと、
前記要求に応答して、前記クライアントに前記場所データを提供するステップと、
を具備し、
前記サーバーは、前記クライアントからの前記要求に応答して、前記位置決定装置に問い合わせない
ことを特徴とする方法。
【請求項１０】
前記定期的な送信の速度は、経時的に変化することを特徴とする請求項９に記載の方法。
【請求項１１】
前記定期的な送信の速度は、一定であることを特徴とする請求項９に記載の方法。
【請求項１２】
前記場所データは、前記位置決定装置の高度を含むことを特徴とする請求項９に記載の方法。
【請求項１３】
前記場所データは、前記無線通信ネットワークを介して受信された少なくともいくつかの情報データに基づくことを特徴とする請求項９に記載の方法。
【請求項１４】
前記位置決定装置は、前記サーバーに前記場所データの送信を指示することを特徴とする請求項９に記載の方法。
【請求項１５】
前記クライアントは、画像形式で前記場所データを受信することを特徴とする請求項９に記載の方法。
【請求項１６】
前記画像形式は、地図画像であることを特徴とする請求項１５に記載の方法。
【請求項１７】
GPS受信機と、前記GPS受信機に結合された中央処理ユニット(CPU)と、前記CPUに結合された無線通信インターフェイスと、前記GPS受信機、前記CPU、および前記無線通信インターフェイスに電力を供給するように動作可能な電源とを備える携帯可能な位置決定装置であって、前記位置決定装置は、
複数のGPS衛星から信号を受信するために前記GPS受信機を使用し、
前記受信した信号に基づいて場所データを決定し、
クライアントに前記場所データを提供するように構成されるサーバーコンピュータに前記場所データを、定期的な送信の速度で、送信するために前記無線通信インターフェイスを使用するように構成され、
前記携帯可能な位置決定装置は、前記場所データに関する前記サーバーからの問い合わせを受信せずに、前記サーバーに前記場所データを提供する
ことを特徴とする携帯可能な位置決定装置。
【請求項１８】
前記定期的な送信の速度は、経時的に変化することを特徴とする請求項１７に記載の位置決定装置。
【請求項１９】
前記定期的な送信の速度は、一定であることを特徴とする請求項１７に記載の位置決定装置。
【請求項２０】
前記場所データは、前記位置決定装置の高度を含むことを特徴とする請求項１７に記載の位置決定装置。
【請求項２１】
前記位置決定装置は、前記無線通信インターフェイスを介して受信された少なくともいくつかの情報データに基づいて、前記場所データを決定するように構成されることを特徴とする請求項１７に記載の位置決定装置。
【請求項２２】
前記位置決定装置は、前記サーバーに前記場所データの送信を指示することを特徴とする請求項１７に記載の位置決定装置。
【請求項２３】
前記クライアントは、画像形式で前記場所データを受信することを特徴とする請求項１７に記載の位置決定装置。
【請求項２４】
前記画像形式は、地図画像であることを特徴とする請求項２３に記載の位置決定装置。
【請求項２５】
携帯可能な位置決定装置の位置を提供するためのコンピュータサーバーであって、
無線通信ネットワークを介して前記位置決定装置の場所データを定期的な速度で受信し、前記場所データは複数のGPS衛星からの信号に基づき、
前記位置決定装置の前記場所データに関するクライアントからの要求を受信し、
前記要求に応答して、前記クライアントに前記場所データを提供する
ように構成される１つまたは複数のコンピュータを具備し、
前記１つまたは複数のコンピュータは、前記位置決定装置に問い合わせる必要なく、前記クライアントに前記場所データを提供する
ことを特徴とするコンピュータサーバー。
【請求項２６】
前記定期的な速度は、経時的に変化することを特徴とする請求項２５に記載のコンピュータサーバー。
【請求項２７】
前記定期的な速度は、一定であることを特徴とする請求項２５に記載のコンピュータサーバー。
【請求項２８】
前記場所データは、前記位置決定装置の高度を含むことを特徴とする請求項２５に記載のコンピュータサーバー。
【請求項２９】
前記場所データは、前記無線通信ネットワークを介して送信された少なくともいくつかの情報データに基づくことを特徴とする請求項２５に記載のコンピュータサーバー。
【請求項３０】
前記１つまたは複数のコンピュータは、前記位置決定装置からの場所データの定期的な送信を指示しないことを特徴とする請求項２５に記載のコンピュータサーバー。
【請求項３１】
前記１つまたは複数のコンピュータは、前記クライアントに提示するために、画像形式で前記場所データを配置することを特徴とする請求項２５に記載のコンピュータサーバー。
【請求項３２】
前記画像形式は、地図画像であることを特徴とする請求項３１に記載のコンピュータサーバー。
【請求項３３】
GPS受信機と、前記GPS受信機に結合された中央処理ユニット(CPU)と、サーバーコンピュータと通信するように動作可能な無線通信インターフェイスと、前記GPS受信機、前記CPU、および前記無線通信インターフェイスに電力を供給するように動作可能な電源とを備える位置決定装置であって、前記位置決定装置は、
複数のGPS衛星から信号を受信するために前記GPS受信機を使用し、
前記受信した信号に基づいて前記位置決定装置の場所データを決定し、
前記位置決定装置が以前の場所から指定された距離を移動するとき、前記サーバーに場所データを送信するために前記無線通信インターフェイスを使用するように構成される、位置決定装置と、
コンピュータソフトウェアプログラムであって、
前記サーバーコンピュータ上で実行され、
前記場所データを受信し、
前記位置決定装置の前記場所データに関するクライアントからの要求を受信し、
前記クライアントからの前記要求に応答して、前記クライアントに前記場所データを提供するように構成される、コンピュータソフトウェアプログラムと
を具備し、
前記サーバーは、前記クライアントからの前記要求に応答して、前記位置決定装置の場所データに関して前記位置決定装置に問い合わせない
ことを特徴とする位置決定システム。
【請求項３４】
前記指定された距離は、経時的に変化することを特徴とする請求項３３に記載の位置決定システム。
【請求項３５】
前記指定された距離は、一定であることを特徴とする請求項３３に記載の位置決定システム。
【請求項３６】
前記場所データは、前記位置決定装置の高度を含むことを特徴とする請求項３３に記載の位置決定システム。
【請求項３７】
前記位置決定装置は、前記無線通信インターフェイスを介して受信された少なくともいくつかの情報データに基づいて、前記場所データを決定するように構成されることを特徴とする請求項３３に記載の位置決定システム。
【請求項３８】
前記位置決定装置は、前記サーバーに前記場所データの送信を指示することを特徴とする請求項３３に記載の位置決定システム。
【請求項３９】
前記クライアントは、画像形式で前記場所データを受信することを特徴とする請求項３３に記載の位置決定システム。
【請求項４０】
前記画像形式は、地図画像であることを特徴とする請求項３９に記載の位置決定システム。
【請求項４１】
携帯可能な位置決定装置の位置を提供するための方法であって、
前記携帯可能な位置決定装置において、
前記位置決定装置の構成部品に電源からの電力を提供するステップと、
複数のGPS衛星から信号を受信するステップと、
前記受信した信号に基づいて前記位置決定装置の場所データを決定するステップと、
前記位置決定装置が以前の場所から指定された距離を移動するとき、サーバーに無線通信ネットワークを介して前記場所データを送信するステップと、
前記サーバーにおいて、
前記位置決定装置の前記場所データに関するクライアントからの要求を受信するステップと、
前記要求に応答して、前記クライアントに前記場所データを提供するステップと、
を具備し、
前記サーバーは、前記クライアントからの前記要求に応答して、前記位置決定装置の場所データに関して前記位置決定装置に問い合わせない
ことを特徴とする方法。
【請求項４２】
前記指定された距離は、経時的に変化することを特徴とする請求項４１に記載の方法。
【請求項４３】
前記指定された距離は、一定であることを特徴とする請求項４１に記載の方法。
【請求項４４】
前記場所データは、前記位置決定装置の高度を含むことを特徴とする請求項４１に記載の方法。
【請求項４５】
前記場所データは、前記無線通信ネットワークを介して受信された少なくともいくつかの情報データに基づくことを特徴とする請求項４１に記載の方法。
【請求項４６】
前記位置決定装置は、前記サーバーに前記場所データの送信を指示することを特徴とする請求項４１に記載の方法。
【請求項４７】
前記クライアントは、画像形式で前記場所データを受信することを特徴とする請求項４１に記載の方法。
【請求項４８】
前記画像形式は、地図画像であることを特徴とする請求項４７に記載の方法。
【請求項４９】
GPS受信機と、前記GPS受信機に結合された中央処理ユニット(CPU)と、前記CPUに結合された無線通信インターフェイスと、前記GPS受信機、前記CPU、および前記無線通信インターフェイスに電力を供給するように動作可能な電源とを備える携帯可能な位置決定装置であって、前記位置決定装置は、
複数のGPS衛星から信号を受信するために前記GPS受信機を使用し、
前記受信した信号に基づいて場所データを決定し、
前記位置決定装置が以前の場所から指定された距離を移動するとき、クライアントに前記場所データを提供するように構成されるサーバーコンピュータに前記場所データを送信するために、前記無線通信インターフェイスを使用するように構成され、
前記携帯可能な位置決定装置は、前記場所データに関して前記サーバーからの問い合わせを受信せずに、前記サーバーに前記場所データを提供する
ことを特徴とする携帯可能な位置決定装置。
【請求項５０】
前記指定された距離は、経時的に変化することを特徴とする請求項４９に記載の位置決定装置。
【請求項５１】
前記指定された距離は、一定であることを特徴とする請求項４９に記載の位置決定装置。
【請求項５２】
前記場所データは、前記位置決定装置の高度を含むことを特徴とする請求項４９に記載の位置決定装置。
【請求項５３】
前記位置決定装置は、前記無線通信インターフェイスを介して受信された少なくともいくつかの情報データに基づいて、前記場所データを決定するように構成されることを特徴とする請求項４９に記載の位置決定装置。
【請求項５４】
前記位置決定装置は、前記サーバーに前記場所データの送信を指示することを特徴とする請求項４９に記載の位置決定装置。
【請求項５５】
前記クライアントは、画像形式で前記場所データを受信することを特徴とする請求項４９に記載の位置決定装置。
【請求項５６】
前記画像形式は、地図画像であることを特徴とする請求項５５に記載の位置決定装置。
【請求項５７】
携帯可能な位置決定装置の位置を提供するためのコンピュータサーバーであって、
前記位置決定装置が以前の場所から指定された距離を移動するとき、無線通信ネットワークを介して前記位置決定装置の場所データを受信し、前記場所データは複数のGPS衛星からの信号に基づき、
前記位置決定装置の前記場所データに関するクライアントからの要求を受信し、
前記要求に応答して、前記クライアントに前記場所データを提供する
ように構成される１つまたは複数のコンピュータを具備し、
前記１つまたは複数のコンピュータは、前記位置決定装置に問い合わせる必要なく、前記クライアントに前記場所データを提供する
ことを特徴とするコンピュータサーバー。
【請求項５８】
前記指定された距離は、経時的に変化することを特徴とする請求項５７に記載のコンピュータサーバー。
【請求項５９】
前記指定された距離は、一定であることを特徴とする請求項５７に記載のコンピュータサーバー。
【請求項６０】
前記場所データは、前記位置決定装置の高度を含むことを特徴とする請求項５７に記載のコンピュータサーバー。
【請求項６１】
前記場所データは、前記無線通信ネットワークを介して受信された少なくともいくつかの情報データに基づくことを特徴とする請求項５７に記載のコンピュータサーバー。
【請求項６２】
前記１つまたは複数のコンピュータは、前記位置決定装置からの場所データの送信を指示しないことを特徴とする請求項５７に記載のコンピュータサーバー。
【請求項６３】
前記１つまたは複数のコンピュータは、前記クライアントに提示するために、画像形式で前記場所データを配置することを特徴とする請求項５７に記載のコンピュータサーバー。
【請求項６４】
前記画像形式は、地図画像であることを特徴とする請求項６３に記載のコンピュータサーバー。